(57)【要約】本発明は、底部（２）と、少なくとも最初の使用前に、該底部の下に位置せしめられるように底部に対して回動可能な蓋部（４）を具備するケース（１）であって、上記底部（２）は中間部材（２０）に対して第一の軸（Ａ１）の回りにヒンジ連結され、中間部材が蓋部（４）に対して第二の軸（Ａ２）の回りにヒンジ連結され、固定手段（Ｂ１，Ｂ２，Ｃ）が、中間部材が軸線（Ａ１）の回りに中間部材（２０）に対して回動するとき蓋部（４）を固定し、中間部材が軸線（Ａ２）の回りに蓋部（４）に対して回動するとき中間部材（２０）を固定可能であるケースに関する。
2004515259.tif 000002
【特許請求の範囲】
【請求項１】
底部（２，１０２）と、少なくとも最初の使用前に、底部の下に位置せしめられるように底部に対して回動可能な蓋部（４，１０４）を具備するケース（１，１０１）において、上記底部（２，１０２）は中間部材（２０，１２０）に対して第一の軸（Ａ１）の回りにヒンジ連結され、中間部材が蓋部（４，１０４）に対して第二の軸（Ａ２）の回りにヒンジ連結され、固定手段（Ｂ１，Ｂ２，Ｃ）が、中間部材が軸線（Ａ１）の回りに中間部材（２０，１２０）に対して回動するとき蓋部（４，１０４）を固定し、中間部材が軸線（Ａ２）の回りに蓋部（４，１０４）に対して回動するとき中間部材（２０，１２０）を固定可能であるケース。
【請求項２】
上記固定手段（Ｃ）が上記中間部材（２０，１２０）に支持され、底部（２，１０２）に支持された相補的な第一係止手段（Ｂ１）及び蓋部（４，１０４）に支持された第二係止手段（Ｂ２）と選択的に係合可能であることを特徴とする請求項１に記載のケース。
【請求項３】
中間部材（２０，１２０）は二の長手方向の縁部（２１，２２；１２１，１２２）を有し、上記第一の関節軸（Ａ１）は中間部材（２０，１２０）の第一縁部（２１）の近傍に位置せしめられ、上記第二の関節軸（Ａ２）は第一縁部（２１，１２１）と反対の第二縁部（２２，１２２）の近傍に位置せしめられたことを特徴とする請求項１又は２に記載のケース。
【請求項４】
上記第一の軸（Ａ１）が上記第二の軸（Ａ２）に平行であることを特徴とする請求項３に記載のケース。
【請求項５】
上記軸（Ａ１，Ａ２）の少なくとも一つが取付けヒンジピン（２３，２４）を持つヒンジにより形成されていることを特徴とする請求項１ないし４の何れか１項に記載のケース（１０１）。
【請求項６】
底部（１０２）と中間部材（１２０）がフィルムヒンジ（１２３）により連結され、蓋部（１０４）が取付けヒンジピン（１２４）を持つヒンジにより中間部材（１２０）に連結されたことを特徴とする請求項５に記載のケース。
【請求項７】
蓋部が、ウレアホルムアルデヒド、アクリロブタジエン−スチレン（ＡＢＳ）、ポリスチレン−アクリロニトリル（ＳＡＮ）、ポリオキシメチレン（ＰＯＭ）、アクリルガラス、ポリスチレン等から製作されていることを特徴とする請求項１ないし６の何れか１項に記載のケース。
【請求項８】
固定手段（Ｃ）は中間部材（２０，１２０）の少なくとも一の側方部分（２０ａ，２０ｂ）上に位置せしめられた少なくとも一の突起を有し、該突起が、その一方（Ｂ１）が底部の部位に、その他方（Ｂ２）が蓋部の部位に形成された対応するハウジング（Ｂ１，Ｂ２）に選択的に係合可能な形状とされたことを特徴とする請求項１ないし７の何れか１項に記載のケース。
【請求項９】
中間部材（２０，１２０）に対する底部（２，１０２）の固定が取外し不能であることを特徴とする請求項１ないし８の何れか１項に記載のケース。
【請求項１０】
少なくとも一種の製品（Ｐ）、特にメークアップ製品等の破砕性製品（Ｐ）を収容可能な少なくとも一の区画室（２ａ，１０２ａ）を形成する容器を形成することを特徴とする請求項１ないし９の何れか１項に記載のケース。
【請求項１１】
底部（２，１０２）上に閉止位置で蓋部（４，１０４）を取り外し可能に固定可能な手段（２ｂ，４ｂ）を具備することを特徴とする請求項１ないし１０の何れか１項に記載のケース。
【発明の詳細な説明】
【０００１】
本発明は、ヒンジ式の蓋によって閉塞することができるケース、特にメークアップケースタイプのものに関する。このようなメークアップケースは一般に少なくとも一式のヒンジによって互いにヒンジ連結された底部と蓋部の二部材を有している。一般に、このケースは、ペースト状、液状もしくは粉体状のコンシステンシーの一又は複数の破砕性製品、例えばアイシャドウ、ルージュ、ブラッシャー又はファンデーションを収容するためのものである。通例、ケースは広範囲の異なった色調で提供される製品を収容した状態で市販される。
【０００２】
よって、所望の色調のメークアップを選択するためには、消費者はケースを包装から取り出し、開けて製品の色をチェックすることを余儀なくされることが多い。
販売場所で直ぐにメークアップ製品の色調を見れるようにするために、米国特許第５５６８８２０号では、ケースの底部の直ぐ下に蓋部が来るように底部に対し蓋部を３６０°回動させることができる構造のメークアップケースが提案されている。この位置では、ケースは、ブリスター包装タイプもしくはヒートシュリンクフィルムタイプの透明パッケージに包装できる。よって、ケースをブティック又はショップに展示し最小の空間を占めるだけにできる。
【０００３】
上述の文献では、底部と蓋部の連結は複数のヒンジ構造によっている。すなわち、米国特許第５５６８８２０号のケースの底部は取付ヒンジピンを備えたヒンジによって中間部材にヒンジ結合され、蓋部はその一部がフィルムヒンジによってこの中間部材にヒンジ結合されている。使用者がケースを初めて閉止するときに、中間部材が蓋部に対して固定され、フィルムヒンジは、ケースが使用されている残りの時間実施される開閉操作中に作動不能である。
米国特許第５５６８８２０号のケースの構造には幾つかの不具合がある。すなわち、蓋部がフィルムヒンジによって中間部材に連結される場合、蓋部が、ケースの底部の下の最大に開口した位置から離れる方向に弾性的に移動し、蓋部と中間部材が成形された位置まで戻る傾向がある。その結果、蓋部は底部の下には満足できる状態では位置させられない。
【０００４】
実際のところ、フィルムヒンジによって接合される部材を製作するために使用される材料の弾性のために、上記の事態が頻繁に起こる。製造されるフィルムヒンジを持つそのような構造を可能にする一材料はポリプロピレンである。しかして、そのような材料製のケースは使用者が高価な製品であると予想するものと合致した外観を示すようにするのが難しい。
米国特許第６０１４９７８号と米国特許第５０７８１５９号には、底部と蓋部の連結が中間部材と複数のヒンジ構造によってなされている同じタイプのケースが記載されている。中間部材が底部に対して回動するとき中間部材に対して蓋部を固定する手段が設けられていない。
【０００５】
よって、本発明の目的の一つは、互いにヒンジ結合される二部材で形成され、上において検討したケースについて上述した問題を完全にもしくは部分的に解決する上述したタイプのケースを提供することにある。
本発明の特定の一目的は、蓋部を底部に対して３６０°までの最大開放位置にしてケースが含む製品を提供すること可能にする関節構造によって蓋部によってヒンジ結合されたメークアップケースを提供することにある。より詳細には、本発明の主題は、蓋部を底部に対して３６０°開放した位置に確実にかつ安定して位置させることができるケースである。また、本発明は信頼性があり長期間にわたって耐久性に優れた操作ができるケースを対象とする。更には、本発明は満足できる美観を持ち、経済的に製造でき、簡単に使用できるメークアップケースを対象とする。
その他の目的は以下の詳細な記載から明らかになるであろう。
【０００６】
本発明において、これらの目的は、底部と、少なくとも最初の使用前に、底部の下に位置せしめられるように底部に対して回動可能な蓋部を具備するケース、特にメークアップケースにおいて、底部を中間部材に対して第一の軸Ａ１の回りにヒンジ連結し、中間部材を蓋部に対して第二の軸Ａ２の回りにヒンジ連結し、固定手段が、中間部材が軸線Ａ１の回りに中間部材に対して回動するとき蓋部を固定し、中間部材が軸線Ａ２の回りに蓋部に対して回動するとき中間部材を固定可能であるケースを製作することにより達成される。
蓋部が底部に対して３６０°にわたって回動できるので、内容物が使用者に直ぐに見えるように広く開放した状態でケースを展示できる。よって、広く開放した状態で、ケースを透明ブリスターに包装でき、及び／又は販売店に展示できる。３６０°まで折り返されたブリスターに包装する方法にはケースの保管面積を最小にできるという利点がある。
【０００７】
好ましくは、固定手段は中間部材に少なくとも部分的に支持される。固定手段は底部に支持された相補的な第一係止手段と蓋部に支持された第二係止手段と選択的に係合可能である。よって、蓋部が底部に対して３６０°の位置にある状態では、蓋部を底部上に折り畳んで閉止状態にすることは、蓋部を第二の軸の回りに部分的に回動させ、ついで第一の軸の回りに部分的に回動させることにより実施される。固定手段は、適切には、回動が第二の軸の回りにあるとき第一の軸を作動しないようにし、またその逆を可能にする。
本発明の好適な側面では、中間部材は二の長手方向の縁部を有する。これらの二の長手方向の縁部は、好ましくは互いに平行であり、第一の関節軸は中間部材の第一縁部の近傍に位置せしめられている。従って、第二の関節軸は第一縁部と反対の第二縁部の近傍に位置せしめられている。
【０００８】
好適な一実施態様では、ケースは、別の部品として形成された底部と蓋部からなり、軸の少なくとも一つは取付ヒンジピンを備えたヒンジによって形成されている。これは、底部と蓋部を二種の異なった材料から製作することができるという利点を有する。好適には、底部と中間部材はフィルムヒンジの製作に適した経済的に適した材料、例えばポリプロピレン又は他の適切なポリオレフィンから一部品として成形される。蓋部に関する限りは、これは、この場合には、取付ヒンジピンを持つヒンジにより中間部材に連結される。ケースの最も目に見える部分を構成する蓋部は、ポリプロピレン以外の材料から製造され、例えば特定の装飾塗装を施すことが可能になる。蓋部を製作するために使用できる材料の非限定的な例としては、アクリロブタジエン−スチレン（ＡＢＳ）、ポリアクリレート、ポリスチレン、ポリオキシメチレン（ＰＯＭ）又はポリスチレン−アクリロニトリル（ＳＡＮ）を挙げることができる。
【０００９】
特定の一実施態様では、固定手段は、中間部材の少なくとも一部分、例えば中間部材の少なくとも一の側方面に位置せしめられた少なくとも一の部材、例えば突起（ピップ部）を有していてもよい。この固定部材は、底部の部位又は蓋部の部位にそれぞれ形成された相補的な部材、例えば対応するハウジングに選択的に係合可能である。あるいは、逆の構造を考えてもよい。しかして、第一の突起が底部の部位に位置せしめられ、第二の突起が蓋部の部位に位置せしめられる。この場合、中間部材は第一又は第二の突起を選択的に収容可能なハウジングを有している。
好適には、中間部材に対する底部の固定は取外し不能（不可逆的）である。この場合、中間部材は底部に対して固定化され、第一の軸が操作不能になる。第二の軸の回りの中間片上での蓋部の回動のみが可能であり、これは広く開放した角度と比較して制限された所定角度の部分にわたっている。
【００１０】
本発明が対象とするケースは、好ましくは程度の差はあれ平坦な形状で製作され、製品、特にメークアップ製品のような破砕性製品を収容可能な少なくとも一の区画室を形成する容器を形成する。好適には、容器は製品を適用する部材をまた収容するような形状とされている。また、蓋部はその一側に鏡を備えてもよく、使用者がメークアップをするときに自分を見ることができる。
適切ならば、ケースは底部上に閉止位置で蓋部を取り外し可能（可逆的）に固定可能な手段を具備する。
上述した構成とは別に、本発明は、添付図を参照して説明する幾つかの非限定的な実施例について以下に説明する幾つかの他の構成からなる。
【００１１】
特に図１ａ、１ｂ、２ａ及び２ｂにおいて、本発明の第一実施形態に係るメークアップケースは参照番号１で示されている。該ケースは、ファンデーション、アイシャドウ、ブラッシャー又は他の同じタイプの製品のようなメークアップ製品を特に包装するために使用されるような、ほぼ平坦な形状である。
図１ａ及び１ｂは使用状態のケースを示している。この状態では、蓋部４は底部２に対して約１２０°開放されており、使用者は一用量の製品Ｐを取り上げることができる。
【００１２】
ケース１は底部２と、底部上に回動可能に設けられた蓋部４とから主に形成され、両方が一又は複数の材料の成形により得られる。底部２は一又は複数の製品Ｐ、特にメークアップ製品のための容器２ａを形成する一又は複数の区画室を形成する。適切には、部品の一つはアプリケータを収容するために使用でき、製品を取り上げ所望の点（図示せず）に塗布される。
蓋部４は鏡４ａを収容するその表面の実質的な部分にわたって延びる凹所９を有している。蓋部４により支持される締め具４ｂは底部２の蓋部４を可逆的に固定するように底部２に支持される対応する部材２ｂと係合可能である。この固定部材２ｂの近傍では、底部２が切り欠き部３を形成しておりケース１を開放するのを容易にする。
【００１３】
蓋部４は、細長い形状で二の細長い縁部２１，２２を有する中間部材２０によって底部２に連結されている。蓋部は二つのフランク部２０ａ、２０ｂによって側方が形成されている（図３ｂ）。特に図２ａ及び２ｂにおいて分かるように、中間部材２０は第一の関節軸Ａ１を形成する取付ヒンジピンタイプのヒンジの第一のヒンジ２３により底部に連結されている。このヒンジは中間部材の縁部２１に位置せしめられている。縁部２２には、第二の関節軸Ａ２を形成する同じタイプの第二のヒンジ２４が形成されている。この第二のヒンジ２４は中間部材２を蓋部４に連結している。よって、底部への中間部材を介しての蓋部のヒンジ連結は、軸が平行である二重のヒンジ構造によってもたらされている。
締め具２ｂを有する端部とは反対の一端では、底部は、中間部材２０が配置される切り欠き部５（図２ｂ及び６）を形成している。同様にして、同様な切り欠き部７が蓋部の一端に設けられ（図３ａ及び７を参照）、広く開放した位置に対応する展示位置に中間部材２０を収容することができる（図２ａ及び２ｂ）。
【００１４】
ケースの底部に対して図２ａ及び２ｂに示した位置に蓋部を維持するために、固定手段Ｃが提供される。特に図３ｂに示されているように、中間部材２０はその側方フランク部２０ａ及び２０ｂに位置せしめられた二つの突起Ｃを有している。これらの突起Ｃは蓋部４の側壁７ａ、７ｂに形成された凹所Ｂ１と協働可能である。係止凹所Ｂ１は、突起が摩擦により保持される突起Ｃを可逆的に収容可能である。同様に、底部２の切り欠き部５は切り欠き部５の側壁５ａ、５ｂに位置せしめられた二つの係止手段Ｂ２を有している。係止手段Ｂ２は、後で詳細に説明されるように、ケースが最初に閉止される時点で、特に不可逆的に突起Ｃを収容する構造となっている。
【００１５】
図２ａ及び２ｂに示された広く開放した位置でケースを構成することにより、底部の下に蓋部を位置させることができ、蓋部４の上面側４１が底部２の下側２５に面する。この位置では、ケース１は、閉止したときのケースの位置に対して３６０°の角度まで開放した展示位置にある。
図２ａ及び２ｂに示された展示位置では、ケースは、区画室２ａに収容された製品が目に見えるように販売店で展示することができる。この位置により、ケースを透明なブリスターで包装することができる。これは、ケースを開けることを強いられないで所望の色調の製品を消費者が選択することを可能にしながら、製品が保護されるという利点を有する。このようにして包装されたケースは最小の空間を占める。
【００１６】
ケースがブリスターに包装される場合、ケースの包装をひとたび開けると、ケースはよって３６０°開放した位置になる（図２ａ及び２ｂ）。ケースを使用するには、使用者は底部に対して蓋部を回動させる（図２ａにおいて矢印αで示した方向）。蓋部４が図２ａ及び２ｂに示された展示位置から回動される間、図３ａ及び３ｂから４ａ及び４ｂに示した位置から図５ａ及び５ｂに示された閉止位置まで連続して通過する。約３００°にわたって回動する間、突起Ｃは係止凹所Ｂ１から離脱する。同時に、中間部材２０は回動して蓋部の切り欠き部７から出る。この回動の間、中間部材２０は底部の切り欠き部５まで移動して接近する。
【００１７】
図６に更に詳細に示されているように、突起Ｃは蓋部の係止凹所Ｂ１から離脱し、底部の係止凹所Ｂ２に更に近くまで移動する（図７）。ついで突部Ｃは係止凹所Ｂ２に係合する。好適には、この係合は不可逆的に生じる。よって、第一の軸Ａ１はずっと作用不能になる。
ケースを開閉するためには、メークアップにケースを使用する目的で、使用者は角度α２にわたって軸Ａ２の回りのみの回動を使用者が実施する（図１ａ）。
図５ａ及び５ｂは閉止位置のケースを示しており、製品Ｐを外部から保護し続けることが可能であり、あるいはハンドバッグにケースを入れて運ぶことが可能になる。
図８ａ及び８ｂは他の実施形態を示し、ここでは、ケース１０１は本質的には二部材１０２，１０４からなる。第一の実施形態と比較すると、同一であるか類似の機能を果たす部分には、１００を増やして第一の実施形態の参照番号を付す。
第一の実施形態と比較すると、ケース１０１は、適切な材料から、中間部材１２０と共に一部品として成形される点が異なっている。その構造とその操作はケース１と同様であり、これらはごく簡単に記載する。
【００１８】
中間部材１２０は第一の関節軸Ａ１を形成するフィルムヒンジ１２３により底部１０２に連結されている。このフィルムヒンジは、第一の実施形態のケース１について既に記載されたように、ケースが最初に閉止された後に作用不能になる。ヒンジ１２４は先に記載されたものと同じタイプのものであり、よって詳細な説明は必要でない。
ケース１０１の構造は、底部と中間部材を製造するために、第一の経済的に有利な材料、例えばポリプロピレンを選択することが可能であるという利点を有している。この材料によりフィルムヒンジ１２３を製造することができる。このフィルムヒンジ１２３はケースの底部１０２に位置せしめられるので、ヒンジ部の白色化はあまり見えない。
【００１９】
蓋部については、好適には第二のプラスチック材料が選択され、このものは特別な装飾又は塗装を受けることが可能である。これは、蓋部がメークアップケースの最も見やすく価値のある部位であるために、重要である。第二の材料は、例えばウレアホルムアルデヒド、アクリロブタジエン−スチレン（ＡＢＳ）、ポリスチレン−アクリロニトリル（ＳＡＮ）、ポリオキシメチレン（ＰＯＭ）、アクリルグラス及びポリスチレン等々から選択される。
上述の詳細な記載では、本発明の幾つかの好適な実施形態を参照した。特許請求の範囲に記載された発明の精神を逸脱しない限り、これに変形を加えることができることは明らかである。
【図面の簡単な説明】
【図１ａ】本発明の第一の実施形態に係るメークアップケースタイプのケースの斜視図である。
【図１ｂ】図１ａのケースの断面図である。
【図２ａ及び２ｂ】３６０°開放した位置の図１のケースを示す。
【図３ａ及び３ｂ】蓋部がその広く開放された位置から移動する第一の部分の、図１のケースの断面図と斜視図をそれぞれ示す。
【図４ａ及び４ｂ】蓋部がその広く開放された位置から移動する第二の部分の、図１のケースの断面図と斜視図をそれぞれ示す。
【図５ａ及び５ｂ】閉止位置の図１のケースの断面図と斜視図をそれぞれ示す。
【図６及び７】図１のケースの詳細な斜視図をそれぞれ示す。
【図８ａ及び８ｂ】図１のケースの詳細な斜視図をそれぞれ示す。
【国際公開パンフレット】
2004515259.tif 000003
2004515259.tif 000004
2004515259.tif 000005
2004515259.tif 000006
2004515259.tif 000007
2004515259.tif 000008
2004515259.tif 000009
2004515259.tif 000010
2004515259.tif 000011
2004515259.tif 000012
2004515259.tif 000013
2004515259.tif 000014
2004515259.tif 000015
2004515259.tif 000016
2004515259.tif 000017
2004515259.tif 000018
2004515259.tif 000019
2004515259.tif 000020
2004515259.tif 000021
【国際調査報告】
2004515259.tif 000022
2004515259.tif 000023
2004515259.tif 000024
2004515259.tif 000025
2004515259.tif 000026
2004515259.tif 000027